(57)【要約】【課題】設備の大型化や作業者の負担を抑えながら種々の書籍を生産でき、オーダチェンジの際にも連続的に生産することができるようにする。【解決手段】印刷部１は、ウェブに書籍の本文の画像と共に書籍を特定する主マーク５５を印刷するウェブ式デジタル印刷機１２と、ウェブを重ね折りして横断裁することで折丁を形成する折機１３と、折丁を積み重ねて形成した折丁束を排出する印刷部搬送装置１５と、を有し、製本部２は、排出された折丁束を受け取る製本部搬送装置２０と、一冊分の用紙束の背面を結合して綴じる綴じ機２２と、折丁束から主マークを読み取る主読取装置５０と、複数のフィーダ容器の中から読み取られた主マークの情報から特定のフィーダ容器を選択してセットされた追加頁を丁合機等の製本加工部に供給するフィーダユニット２７と、を有する。【選択図】図１
2016087938.tif 000002
【特許請求の範囲】
【請求項１】
書籍の本文を印刷して折丁束として排出する印刷部と、前記印刷部から排出された前記折丁束を綴じて製本する製本部とを有する書籍の製造装置であって、
前記印刷部は、
ウェブの印刷面に連続して異なる画像を印刷可能であって、前記印刷面に前記書籍の本文の画像と共に該書籍を特定する主マークを印刷するウェブ式デジタル印刷機と、
前記ウェブ式デジタル印刷機により印刷された前記ウェブを重ね折りして横断裁することで折丁を形成する折機と、
前記折機により形成された前記折丁を積み重ねて折丁束を形成し該折丁束を搬送して排出する印刷部搬送装置と、を有し、
前記製本部は、複数の製本加工部を有し、
前記製本加工部には、
前記印刷部搬送装置から排出された前記折丁束を受け取って搬送する製本部搬送装置と、
前記製本部搬送装置により搬送される前記折丁束を用いて形成された一冊分の用紙束の背面を結合して綴じて冊子を完成させる綴じ機と、
前記製本部搬送装置により搬送される前記冊子の背面以外を三方断裁する三方断裁機と、
紙部品を用いて前記折丁束，前記一冊分の用紙束及び前記冊子の何れかに製本のための加工を行なう紙部品追加製本加工部と、が含まれると共に、
前記製本部搬送装置により搬送される前記折丁束から前記主マークを読み取る主読取装置と、
前記紙部品追加製本加工部で用いられ、前記主マークで特定される製造対象書籍を含む製本予定の複数の書籍のそれぞれの前記紙部品を個別にセット可能な複数のフィーダ容器を備え、前記複数のフィーダ容器の中から特定のフィーダ容器を選択してセットされた前記紙部品を前記紙部品追加製本加工部に供給する紙部品フィーダを有するフィーダユニットと、
前記主読取装置により読み取られた前記主マークの情報から前記製造対象書籍を特定し、前記製造対象書籍に対応した前記紙部品がセットされたフィーダ容器を選択するように前記フィーダユニットを制御する制御装置と、を有する
書籍の製造装置。
【請求項２】
前記紙部品追加製本加工部には、前記綴じ機の上流に配置され、前記製本部搬送装置により搬送される前記折丁束に前記紙部品としての追加頁を積み重ねて前記一冊分の用紙束に丁合してする丁合機が含まれ、
前記フィーダユニットには、前記製本予定の複数の書籍の各追加頁を個別にセット可能な複数のフィーダ容器を備え、前記複数のフィーダ容器の中から特定のフィーダ容器を選択してセットされた前記追加頁を前記丁合機に供給する追加頁フィーダを有する第１フィーダユニットが含まれ、
前記制御装置は、前記主読取装置により読み取られた前記主マークの情報から前記製造対象書籍を特定し、該特定した製造対象書籍に対応した前記追加頁がセットされたフィーダ容器を選択するように前記第１フィーダユニットを制御する
請求項１記載の書籍の製造装置。
【請求項３】
前記追加頁は、前記製造対象書籍の本文の一部及び前記製造対象書籍の口絵の何れか又は両方であって、
前記第１フィーダユニットは、前記製本部搬送装置による前記折丁束の搬送方向に沿ってそれぞれ順に前記追加頁を積み重ねることが可能な複数の前記追加頁フィーダを備え、前記複数の追加頁フィーダのそれぞれに前記フィーダ容器が複数ずつ装備されている
請求項２記載の書籍の製造装置。
【請求項４】
前記追加頁には、該追加頁が用いられる前記製造対象書籍を特定する第１マークが印刷され、
前記第１フィーダユニットには、前記第１マークを読み取る第１読取装置が装備され、
前記制御装置は、前記第１読取装置により読み取られた前記第１マークの情報から前記特定した製造対象書籍に対応した前記追加頁がセットされたフィーダ容器を特定する
請求項２又は３記載の書籍の製造装置。
【請求項５】
前記綴じ機は、前記一冊分の用紙束の背面に糊付けして綴じる綴じ機であって、
前記製本加工部には、
前記綴じ機の直下流に配置され、前記製本部搬送装置により搬送される前記一冊分の用紙束の背面の糊が乾く前に、前記紙部品としての前記製造対象書籍の表紙を前記背面側に接着して表紙込みの冊子を完成させる前記紙部品追加製本加工部としての表紙挿し機と、
前記表紙挿し機で完成され前記製本部搬送装置により搬送される前記冊子の糊を乾燥させる乾燥機と、が含まれ、
前記フィーダユニットには、前記表紙挿し機に付設され、前記製造対象書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、
前記制御装置は、前記特定した製造対象書籍に対応した前記表紙がセットされたフィーダ容器を選択するように前記第２フィーダユニットを制御する
請求項１〜４の何れか１項に記載の書籍の製造装置。
【請求項６】
前記表紙には、該表紙が用いられる書籍を特定する第２マークが印刷され、
前記第２フィーダユニットには、前記第２マークを読み取る第２読取装置が装備され、
前記制御装置は、前記第２読取装置により読み取られた前記第２マークの情報から前記特定した製造対象書籍に対応した前記表紙がセットされたフィーダ容器を特定する
請求項５記載の書籍の製造装置。
【請求項７】
前記紙部品追加製本加工部には、前記三方断裁機で三方断裁され前記製本部搬送装置により搬送される前記冊子の外側に前記紙部品としてのカバー類を装着するカバー帯掛け機が含まれ、
前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、
前記制御装置は、前記特定した製造対象書籍に対応した前記カバー類がセットされたフィーダ容器を選択するように前記第３フィーダユニットを制御する
請求項１〜６の何れか１項に記載の書籍の製造装置。
【請求項８】
前記カバー類には、該カバー類が用いられる書籍を特定する第３マークが印刷され、
前記第３フィーダユニットには、前記第３マークを読み取る第３読取装置が装備され、
前記制御装置は、前記第３読取装置により読み取られた前記第３マークの情報から前記特定した製造対象書籍に対応した前記カバー類がセットされたフィーダ容器を特定する
請求項７記載の書籍の製造装置。
【請求項９】
前記カバー類は、カバー，帯，スリップを含み、
前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバーフィーダのそれぞれに前記フィーダ容器が複数ずつ装備されている
請求項８記載の書籍の製造装置。
【請求項１０】
前記マークは、
前記印刷面の余白部又は非印刷面に印刷され、バーコード，二次元コードを含む絵柄構造で特定されるマーク及び前記余白部への印刷位置で特定されるマークの何れか、或いは、
前記印刷面又は前記非印刷面の任意の個所に印刷され、ステルスインクで印刷されるマーク及び見えないドットコードの何れか、或いは、
印刷絵柄の一部または全部、である
請求項１〜９の何れか１項に記載の書籍の製造装置。
【請求項１１】
前記フィーダ容器のそれぞれのストック状況を監視する監視装置を有し、
前記制御装置は、前記監視装置の監視情報から、前記特定した製造対象書籍に対応した前記追加頁，前記表紙又は前記カバー類のストックが欠如する場合には、書籍の製造のかかるジョブを強制的に切り替える
請求項１〜１０の何れか１項に記載の書籍の製造装置。
【請求項１２】
書籍の本文を印刷し折丁束として排出する印刷工程と、前記印刷工程で排出された前記折丁束を綴じて製本する製本工程とを有する書籍の製造方法であって、
前記印刷工程は、
ウェブの印刷面に連続して異なる画像を印刷可能なウェブ式デジタル印刷機によって、前記印刷面に前記書籍の本文の画像と共に該書籍を特定する主マークを印刷する印刷本工程と、
前記印刷本工程で印刷された前記ウェブを折機によって重ね折りして横断裁することで折丁を形成する折丁形成工程と、
前記折丁形成工程により形成された前記折丁を積み重ねて折丁束を形成し該折丁束を印刷部搬送装置によって搬送して排出する折丁束排出工程と、を有し、
前記製本工程は、
前記折丁束排出工程で排出された前記折丁束を製本部搬送装置により受け取る折丁束受取工程と、
前記丁合工程で丁合された前記前記折丁束を用いて形成された一冊分の用紙束を前記製本部搬送装置により搬送しながらその背面を綴じ機によって結合して綴じて冊子を完成させる綴じ工程と、
前記冊子の背面以外を三方断裁機により三方断裁する三方断裁工程と、
前記綴じ工程又は前記三方断裁工程の前後で、紙部品を用いて前記折丁束，前記一冊分の用紙束及び前記冊子の何れかに製本のための加工を紙部品追加製本加工部にて行なう製本加工工程と、を有し、
前記製本加工工程では、前記製本部搬送装置により搬送される前記折丁束から前記主マークを前記主読取工程装置によって読み取って、制御装置により、読み取った前記主マークから製造対象書籍を特定し、フィーダユニットの紙部品フィーダに装備され前記製造対象書籍を含む製本予定の複数の書籍の各紙部品を個別にセット可能な複数のフィーダ容器の中から、前記特定した製造対象書籍に対応した前記紙部品がセットされたフィーダ容器を選択し、前記紙部品フィーダによって、選択した前記フィーダ容器の紙部品を前記紙部品追加製本加工部に供給する
書籍の製造方法。
【請求項１３】
前記製本加工工程には、前記折丁束受取工程で受け取った前記折丁束を前記製本部搬送装置により搬送しながら丁合機によって前記紙部品としての追加頁を積み重ねて一冊分の用紙束に丁合する丁合工程が含まれ、
前記フィーダユニットには、前記製本予定の複数の書籍の各追加頁を個別にセット可能な複数のフィーダ容器を備え、前記複数のフィーダ容器の中から特定のフィーダ容器を選択してセットされた前記追加頁を前記丁合機に供給する追加頁フィーダを有する第１フィーダユニットが含まれ、
前記丁合工程では、製本部搬送装置により搬送される前記折丁束から前記主マークを主読取工程装置によって読み取って、前記制御装置により、読み取った前記主マークから前記製造対象書籍を特定し、前記製造対象書籍を含む製本予定の複数の書籍の各追加頁を個別にセット可能な複数のフィーダ容器の中から、前記特定した製造対象書籍に対応した前記追加頁がセットされたフィーダ容器を選択し、前記第１フィーダユニットの追加頁フィーダによって、選択した前記追加頁を前記丁合機に供給する
請求項１２記載の書籍の製造方法。
【請求項１４】
前記追加頁は、前記製造対象書籍の本文の一部及び前記製造対象書籍の口絵の何れか又は両方であって、
前記第１フィーダユニットは、前記製本部搬送装置による前記折丁束の搬送方向に沿ってそれぞれ順に前記追加頁を積み重ねることが可能な複数の前記追加頁フィーダを備え、前記複数の追加頁フィーダのそれぞれに前記フィーダ容器が複数ずつ装備され、
前記丁合工程では、前記複数の追加頁フィーダの一部または全てを選択して作動させる
請求項１３記載の書籍の製造方法。
【請求項１５】
前記追加頁には、該追加頁が用いられる前記製造対象書籍を特定する第１マークが印刷され、
前記丁合工程では、第１読取装置により前記第１マークを読み取り、前記制御装置により、前記第１読取装置により読み取られた前記第１マークの情報から前記特定した製造対象書籍に対応した前記追加頁がセットされたフィーダ容器を特定する
請求項１３又は１４記載の書籍の製造方法。
【請求項１６】
前記綴じ機は、前記一冊分の用紙束の背面に糊付けして綴じる綴じ機であって、
前記製本加工工程には、
前記綴じ機の直下流に配置された表紙挿し機により、前記製本部搬送装置により搬送される前記一冊分の用紙束の背面の糊が乾く前に前記紙部品としての前記製造対象書籍の表紙を前記背面側に接着して表紙込みの冊子を完成させる表紙挿し工程と、
前記表紙挿し機で完成され前記製本部搬送装置により搬送される前記冊子の糊を乾燥機により乾燥させる乾燥工程と、が含まれ、
前記フィーダユニットには、前記表紙挿し機に付設され、前記製造対象書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、
前記表紙挿し工程では、前記製本予定の複数の書籍の各表紙を個別にセット可能な複数のフィーダ容器の中から、前記特定した製造対象書籍に対応した前記表紙がセットされたフィーダ容器を選択し、第２フィーダユニットの表紙フィーダによって、選択した前記表紙を前記表紙挿し機に供給する
請求項１２〜１５の何れか１項に記載の書籍の製造方法。
【請求項１７】
前記表紙には、該表紙が用いられる前記製造対象書籍を特定する第２マークが印刷され、
前記表紙挿し工程では、第２読取装置により前記第２マークを読み取り、前記制御装置により、前記第２読取装置により読み取られた前記第２マークの情報から前記特定した製造対象書籍に対応した前記表紙をセットされたフィーダ容器を特定する
請求項１６記載の書籍の製造方法。
【請求項１８】
前記製本加工工程には、
前記三方断裁工程で三方断裁された前記冊子の外側にカバー帯掛け機により前記紙部品としてのカバー類を装着するカバー帯掛け工程が含まれ、
前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、
前記カバー帯掛け工程では、前記製本予定の複数の書籍の各カバー類を個別にセット可能なフィーダ容器の中から、前記特定した製造対象書籍に対応した前記カバー類がセットされたフィーダ容器を選択し、第３フィーダユニットのカバー類フィーダによって、選択した前記カバー類を前記カバー帯掛け機に供給する
請求項１２〜１７の何れか１項に記載の書籍の製造方法。
【請求項１９】
前記カバー類には、該カバー類が用いられる書籍を特定する第３マークが印刷され、
前記カバー帯掛け工程では、第３読取装置により前記第３マークを読み取り、前記制御装置により、前記第３読取装置により読み取られた前記第３マークの情報から前記特定した製造対象書籍に対応した前記カバー類をセットされたフィーダ容器を特定する
請求項１８記載の書籍の製造方法。
【請求項２０】
前記カバー類は、カバー，帯，スリップを含み、
前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバーフィーダのそれぞれに前記フィーダ容器が複数ずつ装備され、
前記カバー帯掛け工程では、前記複数のカバーフィーダの一部又は前部を選択して作動させる
請求項１９記載の書籍の製造方法。
【請求項２１】
前記マークは、
前記印刷面の余白部又は非印刷面に印刷され、バーコード，二次元コードを含む絵柄構造で特定されるマーク及び前記余白部への印刷位置で特定されるマークの何れか、或いは、
前記印刷面の任意の個所に印刷され、ステルスインクで印刷されるマーク及び見えないドットコードの何れか、或いは、
印刷絵柄の一部または全部、である
請求項１２〜２０の何れか１項に記載の書籍の製造方法。
【請求項２２】
前記フィーダ容器のそれぞれのストック状況を監視装置によって監視し、
前記制御装置によって、前記監視装置の監視情報から、前記特定した製造対象書籍に対応した前記追加頁，前記表紙又は前記カバー類のストックが欠如する場合には、書籍の製造のかかるジョブを強制的に切り替える
請求項１２〜２１の何れか１項に記載の書籍の製造方法。
【発明の詳細な説明】
【技術分野】
【０００１】
本発明は、印刷部と製本部とを有する書籍の製造装置及び印刷工程と製本工程とを有する書籍の製造方法に関するものである。
【背景技術】
【０００２】
書籍類を製造するには、印刷部に備えた印刷機によって用紙に各頁の印刷を行なう印刷工程と、印刷工程で印刷された用紙を製本部に備えた製本装置によって順に積み重ねて束にして綴じる製本工程とが必要である。
【０００３】
印刷工程において、例えば印刷用紙にウェブ（連続紙）を用いるウェブ式オフセット印刷機により印刷を行なう場合には、用紙の表裏に同時に複数頁分の本文（中本）の印刷を行なって、印刷機の下流に装備した折機によって、４頁，８頁，１２頁，１６頁又は３２頁（多くの場合、８頁〜１６頁）単位の折丁の形で排出される。また、通常は、別の印刷機で口絵や表紙やカバーや帯等も印刷し、用意される。
【０００４】
製本工程で用いる製本装置には、例えば図６に示すように、丁合機２１０，無線綴じ機２２０，表紙挿し機２３０，乾燥機２４０，三方断裁機２５０，カバー帯掛け機２６０を順に装備したものがある。また、丁合機２１０や表紙挿し機２３０やカバー帯掛け機２６０には、各用紙を供給するフィーダ２１１，２３１，２６１がそれぞれ装備されている。各フィーダ２１１，２３１，２６１には、各印刷工程においてウェブ式オフセット印刷機２００等で得られた折丁や口絵や表紙やカバーや帯等が予めセットされる。
【０００５】
丁合機２１０には、用紙の搬送方向に沿って複数のフィーダ２１１ａ〜２１１ｎが並設されており、各フィーダ２１１ａ〜２１１ｎには頁順（昇順または降順）に折丁や口絵がそれぞれセットされている。丁合機２１０では、各フィーダ２１１ａ〜２１１ｎから折丁や口絵を頁順に受け取り、これらを積み重ねながら一冊分の用紙束を作って、無線綴じ機２２０に送給する。
【０００６】
無線綴じ機２２０では、一冊分の用紙束の背面に糊を付けて用紙束を綴じて表紙挿し機２３０に送給する。
表紙挿し機２３０では、フィーダ２３１にセットされた厚紙の表紙を受け取り、用紙束の背面の糊が乾く前に表紙をその背面側に接着して表紙込みの冊子を完成させ、この冊子を乾燥機２４０に送給する。
乾燥機２４０では、冊子の背面の糊を乾燥させ三方断裁機２５０に送給する。
三方断裁機２５０では、冊子の背面以外を三方断裁してカバー帯掛け機２６０に送給する。
【０００７】
カバー帯掛け機２６０には、用紙の搬送方向に沿って複数のフィーダ２６１ａ〜２６１ｃが並設されており、各フィーダ２６１ａ〜２６１ｃにはカバーや帯やスリップ（ＩＳＢＮを書いた短冊）がそれぞれセットされている。カバー帯掛け機２６０では、各フィーダ２６１ａ〜２６１ｃにセットされたカバーや帯やスリップ（ＩＳＢＮを書いた短冊）を順に受け取り、カバーや帯を冊子の外側に掛けて、スリップを冊子に挿入する。
また、図示しないが、その後、何冊かの単位で結束して書籍の製造を完了する。
【０００８】
ところで、特許文献１，２には、枚葉紙を用いて印刷を行ない、比較的頁数も少なく部数も少ない冊子を製造する技術が開示されている。これらの技術は、印刷工程にはデジタル印刷機を用い、印刷工程での印刷時に用紙にバーコードも同時に印刷し、このバーコードを製本工程における丁合の際に利用するようにしている。
【０００９】
特許文献１の技術では、デジタル印刷機の出力（印刷物）を複数のトレイにセットし、ＣＰＵの製本情報に基づいてトレイからシートを丁合する。この丁合時にシート上のバーコードで正しいシートであるかをチェックするようにしている。
【００１０】
特許文献２の技術では、１冊の冊子を分散（例えばカラー／モノクロ）して印刷した後に、分散印刷された各シート束を集約して丁合機により丁合する。この丁合時に各シート束に付与されたバーコードを丁合機に読ませることで、人手を要さずに丁合を行なうようにしている。
【先行技術文献】
【特許文献】
【００１１】
【特許文献１】特開平１１−１５７２４８号公報
【特許文献２】特開２００４−４５９６３号公報
【発明の概要】
【発明が解決しようとする課題】
【００１２】
上述のように、背景技術で図６を用いて説明した書籍の製造方法、即ち、印刷工程でオフセット印刷機（ウェブ式に限らない）を用いて印刷を行ない、その後製本工程を行なう書籍の製造方法の場合、オフセット印刷機では、オーダ毎に刷版を製作し、これを版胴に取り付ける作業が必要であるため、中本を印刷するためのオーダチェンジのコストや時間を要する。また、丁合機，表紙，カバー，帯などのセット変更もその都度必要になる。このため、少部数の生産はコスト面などから困難である。
【００１３】
その点、特許文献１，２に開示されているように、印刷工程においてデジタル印刷機を用いて印刷を行なうものは、刷版は不要であるため、オーダチェンジに関するコストや時間も不要になり、少部数の生産に適している。特に、書籍印刷の場合、返本率（平均約４０%）に応じた損失を考慮すると、重版の部数・生産タイミングの設定が商業的に難しく、自ずと生産に納期もかかるが、デジタル印刷機は書籍生産のオンデマンド化を実現しうるので、かかる課題の解決に有効である。
【００１４】
また、背景技術で説明した書籍の製造方法の場合、製本工程では、各フィーダ２１１，２３１，２６１に、各印刷工程で得られた折丁や口絵や表紙やカバーや帯等を予めセットするが、このセットはオペレータの手動で行なうため、セットミスによって乱丁，落丁が発生する可能性がある。この点、特許文献２に開示されているように、デジタル印刷機による印刷の際に、各シート束の適宜の箇所にバーコードを印刷してこれを丁合機に読ませることで、人手を要さずに丁合を行なうことができ、乱丁，落丁の発生を防止しうる。
【００１５】
一方、ある書籍類の製造から別の書籍類の製造への切り替え、即ち、オーダチェンジを、連続的に行なうことができれば、生産効率を大きく向上させることができ、商業的に書籍類を製造する場合にメリットが大きい。しかし、特許文献１，２では、こうしたオーダチェンジを如何に実施するかまでは言及されていない。
【００１６】
例えば、特許文献２の技術では、印刷工程で分散印刷された各シート束はスタッカに装着されるコンテナに収納され、作業者はこのコンテナを後処理装置（製本工程）に設置する。製本工程では、これらのコンテナ内の各シート束を、バーコードを読んで特定しながら取り出して丁合機にて丁合を行なう。したがって、印刷工程と製本工程との間に、作業者によるコンテナの搬送という工程が必須になり、オーダチェンジを連続的に行なう場合、作業者の負担が大きくなる。
【００１７】
また、書籍類の中には、頁数が多いものもあり、この場合、製本工程で丁合を行なう全ての折丁やシート（特許文献１）やシート束（特許文献２）を全てトレイ（特許文献１）やコンテナ（特許文献２）等のフィーダに用意する方式では、フィーダを多数用意することが必要になり、設備の大型化を招いてしまう。
【００１８】
また、オフセット印刷機の場合、枚葉紙に印刷する枚葉式オフセット印刷機に比べてウェブ式オフセット印刷機の方が印刷速度を速くでき、また、ウェブ式オフセット印刷機に折機を組み込むことで多頁を同時的に生産することができるため、生産効率を高め易くなる。デジタル印刷機の場合にも、ウェブ式デジタル印刷機の方が、特許文献１，２のような枚葉式デジタル印刷機に比べて印刷速度を高め易く生産効率を向上する上で有利と考えられる。しかし、こうして印刷速度を高めても、書籍の生産効率を高めるためには、製本工程（製本部）で印刷工程（印刷部）に追従して処理できることが必要である。
【００１９】
本発明は、このような課題を解決すべく創案されたもので、印刷部にウェブ式デジタル印刷機を装備しながら、製本部において印刷部に追従して処理することができるようにすると共に、設備の大型化や作業者の負担を抑えながら種々の書籍を生産でき、オーダチェンジの際にも連続的に生産することができるようにした、書籍の製造装置及び製造方法を提供することを目的とするものである。
【課題を解決するための手段】
【００２０】
（１）本発明の書籍の製造装置は、書籍の本文を印刷して折丁束として排出する印刷部と、前記印刷部から排出された前記折丁束を綴じて製本する製本部とを有する書籍の製造装置であって、前記印刷部は、ウェブの印刷面に連続して異なる画像を印刷可能であって、前記印刷面に前記書籍の本文の画像と共に該書籍を特定する主マークを印刷するウェブ式デジタル印刷機と、前記ウェブ式デジタル印刷機により印刷された前記ウェブを重ね折りして横断裁することで折丁を形成する折機と、前記折機により形成された前記折丁を積み重ねて折丁束を形成し該折丁束を搬送して排出する印刷部搬送装置と、を有し、前記製本部は、複数の製本加工部を有し、前記製本加工部には、前記印刷部搬送装置から排出された前記折丁束を受け取って搬送する製本部搬送装置と、前記製本部搬送装置により搬送される前記折丁束を用いて形成された一冊分の用紙束の背面を結合して綴じて冊子を完成させる綴じ機と、前記製本部搬送装置により搬送される前記冊子の背面以外を三方断裁する三方断裁機と、紙部品を用いて前記折丁束，前記一冊分の用紙束及び前記冊子の何れかに製本のための加工を行なう紙部品追加製本加工部と、が含まれると共に、前記製本部搬送装置により搬送される前記折丁束から前記主マークを読み取る主読取装置と、前記紙部品追加製本加工部で用いられ、前記主マークで特定される製造対象書籍を含む製本予定の複数の書籍のそれぞれの前記紙部品を個別にセット可能な複数のフィーダ容器を備え、前記複数のフィーダ容器の中から特定のフィーダ容器を選択してセットされた前記紙部品を前記紙部品追加製本加工部に供給する紙部品フィーダを有するフィーダユニットと、前記主読取装置により読み取られた前記主マークの情報から前記製造対象書籍を特定し、前記製造対象書籍に対応した前記紙部品がセットされたフィーダ容器を選択するように前記フィーダユニットを制御する制御装置と、を有する。
【００２１】
（２）前記紙部品追加製本加工部には、前記綴じ機の上流に配置され、前記製本部搬送装置により搬送される前記折丁束に前記紙部品としての追加頁を積み重ねて前記一冊分の用紙束に丁合する丁合機が含まれ、前記フィーダユニットには、前記製本予定の複数の書籍の各追加頁を個別にセット可能な複数のフィーダ容器を備え、前記複数のフィーダ容器の中から特定のフィーダ容器を選択してセットされた前記追加頁を前記丁合機に供給する追加頁フィーダを有する第１フィーダユニットが含まれ、前記制御装置は、前記主読取装置により読み取られた前記主マークの情報から前記製造対象書籍を特定し、該特定した製造対象書籍に対応した前記追加頁がセットされたフィーダ容器を選択するように前記第１フィーダユニットを制御することが好ましい。
（３）前記追加頁は、前記製造対象書籍の本文の一部及び前記製造対象書籍の口絵の何れか又は両方であって、前記第１フィーダユニットは、前記製本部搬送装置による前記折丁束の搬送方向に沿ってそれぞれ順に前記追加頁を積み重ねることが可能な複数の前記追加頁フィーダを備え、前記複数の追加頁フィーダのそれぞれに前記フィーダ容器が複数ずつ装備されていることが好ましい。
【００２２】
（４）前記追加頁には、該追加頁が用いられる前記製造対象書籍を特定する第１マークが印刷され、前記第１フィーダユニットには、前記第１マークを読み取る第１読取装置が装備され、前記制御装置は、前記第１読取装置により読み取られた前記第１マークの情報から前記特定した製造対象書籍に対応した前記追加頁がセットされたフィーダ容器を特定することが好ましい。
【００２３】
（５）前記綴じ機は、前記一冊分の用紙束の背面に糊付けして綴じる綴じ機であって、前記製本加工部には、前記綴じ機の直下流に配置され、前記製本部搬送装置により搬送される前記一冊分の用紙束の背面の糊が乾く前に、前記紙部品としての前記製造対象書籍の表紙を前記背面側に接着して表紙込みの冊子を完成させる前記紙部品追加製本加工部としての表紙挿し機と、前記表紙挿し機で完成され前記製本部搬送装置により搬送される前記冊子の糊を乾燥させる乾燥機と、が含まれ、前記フィーダユニットには、前記表紙挿し機に付設され、前記書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、前記制御装置は、前記特定した製造対象書籍に対応した前記表紙がセットされたフィーダ容器を選択するように前記第２フィーダユニットを制御することが好ましい。
【００２４】
（６）前記表紙には、該表紙が用いられる書籍を特定する第２マークが印刷され、前記第２フィーダユニットには、前記第２マークを読み取る第２読取装置が装備され、前記制御装置は、前記第２読取装置により読み取られた前記第２マークの情報から前記特定した製造対象書籍に対応した前記表紙がセットされたフィーダ容器を特定することが好ましい。
【００２５】
（７）前記紙部品追加製本加工部には、前記三方断裁機で三方断裁され前記製本部搬送装置により搬送される前記冊子の外側にカバー類を装着するカバー帯掛け機が含まれ、前記フィーダユニットには、前記カバー帯掛け機に付設され、前記書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、前記制御装置は、前記特定した製造対象書籍に対応した前記カバー類がセットされたフィーダ容器を選択するように前記第３フィーダユニットを制御することが好ましい。
【００２６】
（８）前記カバー類には、該カバー類が用いられる書籍を特定する第３マークが印刷され、前記第３フィーダユニットには、前記第３マークを読み取る第３読取装置が装備され、前記制御装置は、前記第３読取装置により読み取られた前記第３マークの情報から前記特定した製造対象書籍に対応した前記カバー類がセットされたフィーダ容器を特定することが好ましい。
【００２７】
（９）前記カバー類は、カバー，帯，スリップを含み、前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバーフィーダのそれぞれに前記フィーダ容器が複数ずつ装備されていることが好ましい。
【００２８】
（１０）前記マークは、前記印刷面の余白部又は非印刷面に印刷され、バーコード，二次元コード〔例えば、ＱＲコード（登録商標）〕を含む絵柄構造で特定されるマーク及び前記余白部への印刷位置で特定されるマークの何れか、或いは、前記印刷面又は前記非印刷面の任意の個所に印刷され、ステルスインクで印刷されるマーク及び見えないドットコード〔例えば、グリッドオンプット（登録商標）〕の何れか、或いは、印刷絵柄の一部または全部、であることが好ましい。
【００２９】
（１１）前記フィーダ容器のそれぞれのストック状況を監視する監視装置を有し、前記制御装置は、前記監視装置の監視情報から、前記特定した製造対象書籍に対応した前記追加頁，前記表紙又は前記カバー類のストックが欠如する場合には、書籍の製造のかかるジョブを強制的に切り替えることが好ましい。
【００３０】
（１２）本発明の書籍の製造方法は、書籍の本文を印刷し折丁束として排出する印刷工程と、前記印刷工程で排出された前記折丁束を綴じて製本する製本工程とを有する書籍の製造方法であって、前記印刷工程は、ウェブの印刷面に連続して異なる画像を印刷可能なウェブ式デジタル印刷機によって、前記印刷面に前記書籍の本文の画像と共に該書籍を特定する主マークを印刷する印刷本工程と、前記印刷本工程で印刷された前記ウェブを折機によって重ね折りして横断裁することで折丁を形成する折丁形成工程と、前記折丁形成工程により形成された前記折丁を積み重ねて折丁束を形成し該折丁束を印刷部搬送装置によって搬送して排出する折丁束排出工程と、を有し、前記製本工程は、前記折丁束排出工程で排出された前記折丁束を製本部搬送装置により受け取る折丁束受取工程と、前記丁合工程で丁合された前記前記折丁束を用いて形成された一冊分の用紙束を前記製本部搬送装置により搬送しながらその背面を綴じ機によって結合して綴じて冊子を完成させる綴じ工程と、前記冊子の背面以外を三方断裁機により三方断裁する三方断裁工程と、前記綴じ工程又は前記三方断裁工程の前後で、紙部品を用いて前記折丁束，前記一冊分の用紙束及び前記冊子の何れかに製本のための加工を紙部品追加製本加工部にて行なう製本加工工程と、を有し、前記製本加工工程では、前記製本部搬送装置により搬送される前記折丁束から前記主マークを前記主読取工程装置によって読み取って、制御装置により、読み取った前記主マークから製造対象書籍を特定し、フィーダユニットの紙部品フィーダに装備され前記製造対象書籍を含む製本予定の複数の書籍の各紙部品を個別にセット可能な複数のフィーダ容器の中から、前記特定した製造対象書籍に対応した前記紙部品がセットされたフィーダ容器を選択し、前記紙部品フィーダによって、選択した前記フィーダ容器の紙部品を前記紙部品追加製本加工部に供給する。
【００３１】
（１３）前記製本加工工程には、前記折丁束受取工程で受け取った前記折丁束を前記製本部搬送装置により搬送しながら丁合機によって前記紙部品としての追加頁を積み重ねて一冊分の用紙束に丁合する丁合工程が含まれ、前記フィーダユニットには、前記製本予定の複数の書籍の各追加頁を個別にセット可能な複数のフィーダ容器を備え、前記複数のフィーダ容器の中から特定のフィーダ容器を選択してセットされた前記追加頁を前記丁合機に供給する追加頁フィーダを有する第１フィーダユニットが含まれ、前記丁合工程では、製本部搬送装置により搬送される前記折丁束から前記主マークを主読取工程装置によって読み取って、前記制御装置により、読み取った前記主マークから前記製造対象書籍を特定し、前記製造対象書籍を含む製本予定の複数の書籍の各追加頁を個別にセット可能な複数のフィーダ容器の中から、前記特定した製造対象書籍に対応した前記追加頁がセットされたフィーダ容器を選択し、前記第１フィーダユニットの追加頁フィーダによって、選択した前記追加頁を前記丁合機に供給することが好ましい。
（１４）前記追加頁は、前記製造対象書籍の本文の一部及び前記製造対象書籍の口絵の何れか又は両方であって、前記第１フィーダユニットは、前記製本部搬送装置による前記折丁束の搬送方向に沿ってそれぞれ順に前記追加頁を積み重ねることが可能な複数の前記追加頁フィーダを備え、前記複数の追加頁フィーダのそれぞれに前記フィーダ容器が複数ずつ装備され、前記丁合工程では、前記複数の追加頁フィーダの一部または全てを選択して作動させることが好ましい。
【００３２】
（１５）前記追加頁には、該追加頁が用いられる前記製造対象書籍を特定する第１マークが印刷され、前記丁合工程では、第１読取装置により前記第１マークを読み取り、前記制御装置により、前記第１読取装置により読み取られた前記第１マークの情報から前記特定した製造対象書籍に対応した前記追加頁がセットされたフィーダ容器を特定することが好ましい。
【００３３】
（１６）前記綴じ機は、前記一冊分の用紙束の背面に糊付けして綴じる綴じ機であって、前記製本加工工程には、前記綴じ機の直下流に配置された表紙挿し機により、前記製本部搬送装置により搬送される前記一冊分の用紙束の背面の糊が乾く前に前記紙部品としての前記製造対象書籍の表紙を前記背面側に接着して表紙込みの冊子を完成させる表紙挿し工程と、前記表紙挿し機で完成され前記製本部搬送装置により搬送される前記冊子の糊を乾燥機により乾燥させる乾燥工程が含まれ、前記フィーダユニットには、前記表紙挿し機に付設され、前記製造対象書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、前記表紙挿し工程では、前記製本予定の複数の書籍の各表紙を個別にセット可能な複数のフィーダ容器の中から、前記特定した製造対象書籍に対応した前記表紙がセットされたフィーダ容器を選択し、第２フィーダユニットの表紙フィーダによって、選択した前記表紙を前記表紙挿し機に供給することが好ましい。
【００３４】
（１７）前記表紙には、該表紙が用いられる前記製造対象書籍を特定する第２マークが印刷され、前記表紙挿し工程では、第２読取装置により前記第２マークを読み取り、前記制御装置により、前記第２読取装置により読み取られた前記第２マークの情報から前記特定した製造対象書籍に対応した前記表紙をセットされたフィーダ容器を特定することが好ましい。
【００３５】
（１８）前記製本加工工程には、前記三方断裁工程で三方断裁された前記冊子の外側にカバー帯掛け機によりカバー類を装着する前記紙部品としてのカバー帯掛け工程が含まれ、前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、前記カバー帯掛け工程では、前記製本予定の複数の書籍の各カバー類を個別にセット可能なフィーダ容器の中から、前記特定した製造対象書籍に対応した前記カバー類がセットされたフィーダ容器を選択し、第３フィーダユニットのカバー類フィーダによって、選択した前記カバー類を前記カバー帯掛け機に供給することが好ましい。
【００３６】
（１９）前記カバー類には、該カバー類が用いられる書籍を特定する第３マークが印刷され、前記カバー帯掛け工程では、第３読取装置により前記第３マークを読み取り、前記制御装置により、前記第３読取装置により読み取られた前記第３マークの情報から前記特定した製造対象書籍に対応した前記カバー類をセットされたフィーダ容器を特定することが好ましい。
【００３７】
（２０）前記カバー類は、カバー，帯，スリップを含み、前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバーフィーダのそれぞれに前記フィーダ容器が複数ずつ装備され、前記カバー帯掛け工程では、前記複数のカバーフィーダの一部又は前部を選択して作動させることが好ましい。
【００３８】
（２１）前記マークは、前記印刷面の余白部又は非印刷面に印刷され、バーコード，二次元コード〔例えば、ＱＲコード（登録商標）〕を含む絵柄構造で特定されるマーク及び前記余白部への印刷位置で特定されるマークの何れか、或いは、前記印刷面の任意の個所に印刷され、ステルスインクで印刷されるマーク及び見えないドットコードの何れか、或いは、印刷絵柄の一部または全部、であることが好ましい。
【００３９】
（２２）前記フィーダ容器のそれぞれのストック状況を監視装置によって監視し、前記制御装置によって、前記監視装置の監視情報から、前記特定した製造対象書籍に対応した前記追加頁，前記表紙又は前記カバー類のストックが欠如する場合には、書籍の製造のかかるジョブを強制的に切り替えることが好ましい。
【発明の効果】
【００４０】
本発明によれば、印刷部（印刷工程）では、ウェブ式デジタル印刷機で書籍の本文を印刷するので、デジタル印刷機の特性から、オーダチェンジに速やかに対応でき、少部数の生産でも単価を抑えて対応できる。また、オーダチェンジに際して印刷機を停止する必要が無いので、ウェブ式印刷機で発生する刷り出し損紙や刷り終わり損紙も最小限に抑えることができる。さらに、ウェブ式なので高速印刷で且つ多頁を同時的に印刷できるので、印刷にかかる生産効率を高め易くなる。
【００４１】
また、印刷後、折機によって折丁を形成し、印刷部搬送装置によって折丁を積み重ねて折丁束を形成して、これを排出するので、書籍の本文の多くを部分的に丁合した形で製本部（製本工程）へ供給され、製本部（製本工程）では、この折丁束を用いて一冊分の用紙束を形成しこの用紙束の背面を結合して綴じて冊子を完成させるので、予め折丁束が形成される分だけ製本部（製本工程）での加工にかかる処理負担が軽減される。
【００４２】
したがって、頁数が多い書籍を製造する場合にも、印刷部（印刷工程）で形成する折丁束の頁数を増やして対応することもでき、例えば丁合機にフィーダを多数装備する必要はなく、設備の大型化を防止することができる。また、例えば丁合機のフィーダに折丁やシートをセットする負担が減る分だけ作業者の負担を抑えることができる。
【００４３】
また、印刷部（印刷工程）で、ウェブの印刷面に書籍の本文の画像と共に該書籍を特定する主マークを印刷し、製本部（製本工程）では、主マークを読み取って、この情報から製造対象書籍を特定し、特定した書籍に対応した紙部品がセットされたフィーダ容器からの紙部品を、紙部品フィーダにより製本加工部に供給するので、作業者に負担を加えずに、乱丁，落丁の発生を防止することができる。
【図面の簡単な説明】
【００４４】
【図１】本発明の一実施形態に係る書籍の製造装置を示す概略構成図である。
【図２】本発明の一実施形態に係る印刷部を示す概略構成図である。
【図３】本発明の一実施形態に係る印刷工程の折丁形成工程においてウェブから折丁までの加工の過程を示す図であって、（ａ）はウェブに対する面付けを示す概略図、（ｂ）は縦断裁されて重ねられたウェブを示す概略図、（ｃ）は縦折されたウェブを示す概略図、（ｄ）は横断裁された折丁を示す概略図、（ｅ）は形成された折丁束を示す斜視図である。
【図４】本発明の一実施形態に係る書籍の製造装置の折丁機，表紙挿し機，カバー帯掛け機に付設される各フィーダユニットを説明する模式図である。
【図５】本発明の一実施形態に係る書籍の製造方法を示すフローチャートである。
【図６】背景技術に係る書籍の製造装置を示す概略構成図である。
【発明を実施するための形態】
【００４５】
以下、図面を参照して本発明の実施形態を説明する。
なお、以下に示す各実施形態はあくまでも例示に過ぎず、以下の実施形態で明示しない種々の変形や技術の適用を排除する意図はない。以下の実施形態の各構成は、それらの趣旨を逸脱しない範囲で種々変形して実施することができるとともに、必要に応じて取捨選択することができ、あるいは適宜組み合わせることが可能である。
【００４６】
〔装置の概略構成〕
図１は本実施形態に係る書籍の製造装置を示す概略構成図である。図１に示すように、本装置は、印刷部１と製本部２とを有しており、これらが連続するライン上に接続されている。印刷部１では、書籍の本文（中本）を印刷して折丁束として排出し、製本部２では、印刷部１から排出された折丁束を綴じて書籍に製本する。製本部２では、このとき、折丁束に対して追加頁や表紙やカバー類等の紙部品を適宜追加して製本する。
【００４７】
〔印刷部の構成〕
図２は本印刷部１を示す概略構成図である。図２に示すように、本印刷部１は、給紙装置１１と、印刷機１２と、折機１３と、振分装置１４と、搬送装置（印刷部搬送装置）１５とを有して構成されている。なお、図示しないが、表面印刷ユニット１２１および裏面印刷ユニット１２２の下流側に乾燥装置を設けてもよい。
【００４８】
給紙装置１１は、ウェブＷがロール状に巻かれた巻取紙を保持し、このウェブＷを所定速度で繰り出すことができる。印刷機１２は、表面印刷ユニット１２１と裏面印刷ユニット１２２と反転装置１２３とを有している。表面印刷ユニット１２１は、ガイドローラ１２４により支持されたウェブＷの表面に多色印刷を行う印刷ユニットである。裏面印刷ユニット１２２は、ガイドローラ１２５により支持されたウェブＷの裏面に多色印刷を行う印刷ユニットである。この各印刷ユニット１２１，１２２は、バリアブル印刷機としてのインクジェット式印刷機により構成されている。
【００４９】
なお、バリアブル印刷機として、インクジェット式印刷機を適用したが、編集システムなどで作成したデータをそのまま受け取って印刷可能なデジタル印刷機であればよく、インクジェット方式に限らず、電子写真方式など描画方式を問うものではない。
【００５０】
表面印刷ユニット１２１及び裏面印刷ユニット１２２は、搬送されるウェブＷの上方からインクジェットヘッドにより印刷を行うものであることから、表面印刷ユニット１２１と裏面印刷ユニット１２２との間に、ウェブＷの表裏を反転させる反転装置１２３が配置されている。なお、表面印刷ユニット１２１と裏面印刷ユニット１２２を上下の異なる位置に配置することで、反転装置１２３をなくしてもよい。
【００５１】
折機１３は、印刷機１２により表面及び裏面に印刷が施され、駆動ローラ１２６，ガイドローラ１２７により搬送されたたウェブＷを複数に縦断裁して重ね合わせた後、縦折してから横断裁して折丁Ｆを形成するものである。この折機１３は、スリッタ１３１と、ターンバー１３２と、三角板１３３と、断裁装置１３４とを有している。
【００５２】
スリッタ１３１は、ウェブＷを縦方向（ウェブＷの長手方向、ウェブＷの搬送方向）に沿って断裁するものであり、本実施例では、ウェブＷを幅方向における３箇所で縦方向に沿って断裁することで、同じ幅のウェブＷを４枚形成する。ターンバー１３２は、スリッタ１３１により縦断裁された４枚のウェブＷを上下に積み重ねて搬送経路を設定する。三角板１３３は、ターンバー１３２により積み重ねられた４枚のウェブＷを縦折りする。
【００５３】
断裁装置１３４は、三角板１３３により縦折りされてリードインローラ１３５により搬送された４枚のウェブＷを所定長さに横断裁して折丁Ｆ（Ｆ１，Ｆ２）を形成する。この断裁装置１３４は、鋸胴１３６と受胴１３７がウェブＷを挟んで左右に対向して配設されている。
【００５４】
この断裁装置１３４について、詳細は図示しないが、鋸胴１３６は、その周面に鋸刃が鋸台に支持されている。一方、受胴１３７は、その周面にゴム等の弾性体により構成される鋸刃受が受台に支持され設けられている。鋸台及び受台は径方向に可動であり、鋸台及び受台を径方向に移動させ、これに合わせて鋸胴１３６及び受胴１３７の回転中心をシフトさせれば、鋸刃及び鋸刃受の１回転の周長が変化し、ウェブＷを横断裁して、所定長さの折丁Ｆを形成することができる。
【００５５】
また、ウェブＷの切断タイミングを変更して折丁Ｆの長さを変更可能とする構成は、上述したものに限定されるものではない。例えば、鋸刃及び鋸刃受がウェブＷを横断裁してから再びウェブＷを横断裁するまでの周速度をウェブＷの走行速度に対して増減させれば、鋸刃及び鋸刃受の１回転に要する時間が変化し、ウェブＷを横断裁するタイミングが変化するので、所定長さの折丁Ｆを形成することができる。
【００５６】
なお、鋸刃と鋸刃受は鋸胴１３６と受胴１３７の外周部に１組だけ設けてもよいが、この数に限定されるものではなく、鋸胴１３６と受胴１３７の径により２組以上設けてもよい。
【００５７】
振分装置１４は、詳細は図示しないが、断裁装置１３４によりウェブＷが横断裁されて形成された折丁Ｆを、複数（ここでは２つ）の経路に振り分ける。振分装置１４の下流側の搬送装置１５は、複数（ここでは２つ）の搬送ラインＬ１，Ｌ２を有している。搬送装置１５は、振分装置１４により振り分けられた折丁Ｆ（Ｆ１，Ｆ２）を所定部数だけ積み重ねて折丁束Ｇ（Ｇ１，Ｇ２）として搬送することで、所定部数ずつ排出する。
【００５８】
搬送ラインＬ１，Ｌ２は、一対の搬送ベルト１５１，１６１、羽根車１５２，１６２、上下のコンベア１５３，１５４を有している。なお、振分装置１４により振り分けられた折丁Ｆ（Ｆ１，Ｆ２）の所定部数は、搬送ラインＬ１，Ｌ２において同部数の場合もあれば、異なる部数の場合もある。
【００５９】
搬送ベルト１５１，１６１は、折丁Ｆ（Ｆ１，Ｆ２）を挟持して搬送する。羽根車１５２，１６２は、所定回転で回転することで、搬送ベルト１５１，１６１から受け取った折丁Ｆ（Ｆ１，Ｆ２）を上段コンベア１５３と下段コンベア１５４に積み上げる。上下のコンベア１５３，１５４は、羽根車１５２，１６２から受け取った折丁Ｆ（Ｆ１，Ｆ２）を揃えて積み上げ、所定部数の折丁Ｆ（Ｆ１，Ｆ２）が積み上げられた折丁束Ｇ（Ｇ１，Ｇ２）を次工程へ排出する。
【００６０】
なお、搬送装置１５は、上下のコンベア１５３，１５４の終端部に重ねシリンダ（積み重ね装置）１６０を設けることができる。この重ねシリンダ１６０は、上段コンベア１５３に積み上げられた折丁束Ｇ１を下段コンベア１５４に積み上げられた折丁束Ｇ２上に重ね、下段コンベア１５４が折丁束Ｇ（Ｇ１＋Ｇ２）として排出する。
【００６１】
このように構成された本実施例の印刷装置１０は、図２に示すように、給紙装置１１を駆動制御する給紙制御部１０１と、印刷機１２を駆動制御する印刷機制御部１０２と、折機１３を駆動制御する折機制御部１０３と、振分装置１４を駆動制御する振分制御部１０４と、搬送装置１５における搬送ベルト１５１，１６１及び羽根車１５２，１６２を駆動制御する第１搬送制御部１０５と、搬送装置１５における上段コンベア１５３と下段コンベア１５４を駆動制御する第２搬送制御部１０６と、各制御部１０１〜１０６を制御する制御装置３０の印刷制御部３１と、オペレータが各種の情報を入力操作する入力部４０と、が設けられている。
【００６２】
したがって、オペレータが入力部４０を用いて印刷情報を入力すると、印刷制御部３１は、各制御部１０１〜１０６を介して給紙装置１１、印刷機１２、折機１３、振分装置１４、搬送装置１５を駆動制御する。
【００６３】
なお、装置の運転中に次オーダ、次次オーダなど、製造予定の複数の書籍の情報（印刷情報や製本情報）を、入力部４０を用いて予め入力しておくことができ、オペレータがこうして事前入力をしておくことで、製造対象の書籍を変更するオーダチェンジに際しては、装置を止めることなく生産を実施することも可能になっている。さらに、オーダ情報や印刷スケジュールは、図示しない上位のネットワークサーバから受け取っても良いし、入力部４０にバーコードリーダを設けてオーダ帳票より読み取っても良い。
【００６４】
また、本印刷部１では、折機１３において、印刷されたウェブＷを重ね折りして横断裁することで折丁を形成し、搬送装置１５において、折機１３により形成された折丁を積み重ねて折丁束を形成しこの折丁束を搬送して排出するようになっている。
【００６５】
ここで、印刷工程の折丁形成工程においてウェブＷから折丁束までの加工の過程を説明する。図３（ａ）はウェブＷに対する面付けを表す概略図であり、図示するように、まず、折丁束Ｇ１にかかる印刷物Ｂ１に対応して、ウェブＷの幅方向に並んだ例えば８個の絵柄を例えば９列印刷し、続いて、これと同様に、折丁束Ｇ２にかかる印刷物Ｂ２に対応して、ウェブＷの幅方向に並んだ例えば８個の絵柄を例えば７列印刷する。印刷機１２は、印刷物Ｂ１に対応する印刷と印刷物Ｂ２に対応する印刷を所定部数だけ交互に連続して行う。
【００６６】
なお、本装置の場合、印刷物Ｂ１，Ｂ２は書籍の本文（中本）であり、印刷機１２は、ウェブＷの印刷面に、印刷物Ｂ１，Ｂ２に対応する本文の画像だけでなく、製造している書籍を特定することができる書籍に固有のマーク（主マーク）５５（図１参照）も印刷する。
【００６７】
この主マーク５５には、例えばバーコード，二次元コード〔例えば、マトリクス型二次元コードであるＱＲコード（登録商標）〕を含む絵柄構造で特定されるマークを採用することができ、こうしたマークの場合、印刷面の余白部に印刷することが好ましい。また、この主マーク５５には、余白部への印刷位置で特定されるマークを用いても良く、ステルスインクで印刷されるマーク及び見えないドットコード〔グリッドオンプット（登録商標）〕の何れかを印刷面又は非印刷面の任意の個所に印刷してもよく。あるいは、印刷絵柄の一部または全部を主マーク５５とすることも可能である。この場合、本文の画像だけを印刷すればよい。
【００６８】
折機１３は、スリッタ１３１により３つの断裁線Ｃ１でウェブＷを縦方向に沿って断裁することで、同じ幅のウェブＷを４枚形成する。そして、ターンバー１３２は、図３（ｂ）（縦断裁されて重ねられたウェブを表す概略図）に示すように、スリッタ１３１により縦断裁された４枚のウェブＷを上下に積み重ねて搬送する。
【００６９】
三角板１３３は、図３（ｃ）（縦折されたウェブを表す概略図）に示すように、ターンバー１３２により積み重ねられた４枚のウェブＷを１つの縦折線Ｄに沿って縦折りする。断裁装置１３４は、図３（ｄ）（横断裁された折丁を表す概略図）に示すように、三角板１３３により縦折りされた４枚のウェブＷを断裁線Ｃ２で所定長さに横断裁することで、折丁Ｆ（Ｆ１，Ｆ２）を形成する。
【００７０】
振分装置１４は、折機１３から順に送られてくる折丁Ｆ１または折丁Ｆ２が所定部数に到達したら、搬送ラインＬ１と搬送ラインＬ２との間で切り替える。搬送装置１５は、振分装置１４により振り分けられた折丁Ｆ（Ｆ１，Ｆ２）を各搬送ラインＬ１，Ｌ２で所定部数だけ積み重ねることで、図３（ｅ）（形成された折丁束を示す斜視図）に示すように、折丁束Ｇ（Ｇ１，Ｇ２）を形成し、各搬送ラインＬ１，Ｌ２から異なる折丁束Ｇ１，Ｇ２をそれぞれ排出する。
【００７１】
（製本部の構成）
図１に示すように、本製本部２は、印刷部１の搬送装置１５から排出された折丁束Ｇを受け取ってこれを搬送する搬送装置（製本部搬送装置）２０の搬送方向に沿って、丁合機２１，無線綴じ機２２，表紙挿し機２３，乾燥機２４，三方断裁機２５，カバー帯掛け機２６といった複数の製本加工部をこの順に装備している。特に、丁合機２１，表紙挿し機２３，カバー帯掛け機２６は、紙部品である追加頁や表紙やカバー類を用いて製本のための加工を行なう紙部品追加製本加工部である。
【００７２】
なお、搬送装置２０には、詳細は図示しないが、搬送ベルト等が搬送経路に応じて適宜複数に分断されて装備され搬送ラインを構成する。この搬送装置２０は、印刷部１の搬送装置１５と連続するように接続され、印刷工程（印刷部１の印刷や折丁束Ｇの作成）から製本工程（製本部２による書籍の製本）までをオンラインで実施できるようになっている。
【００７３】
また、丁合機２１，表紙挿し機２３，カバー帯掛け機２６には、各用紙を供給するフィーダユニット２７，２８，２９がそれぞれ装備されている。各フィーダユニット２７，２８，２９には、上記の印刷部１の印刷機１２とは別の印刷機６０等で印刷された折丁や口絵や表紙やカバーや帯等の紙部品が予めセットされ、追加頁フィーダ２７０や表紙フィーダ２８０やカバー類フィーダ２９０といった各紙部品フィーダにより紙部品を供給する。
【００７４】
さらに説明すると、丁合機２１に付設された第１フィーダユニット２７には、用紙の搬送方向に沿って複数の追加頁フィーダ２７０ａ〜２７０ｎが並設されている。各フィーダ２７０ａ〜２７０ｎには頁順（昇順または降順）に本文（中本）の一部を構成する折丁や口絵といった追加頁がそれぞれセットされている。丁合機２１では、各フィーダ２７０ａ〜２７０ｎから折丁や口絵を頁順に受け取り、搬送装置２０により搬送される折丁束Ｇにこれらの追加頁を積み重ねながら一冊分の用紙束を作って、無線綴じ機２２に送給する。
【００７５】
丁合機２１の第１フィーダユニット２７にセットされる追加頁のうちの本文（中本）の一部とは、折丁束Ｇでは足りない本文頁部分である。上流側の印刷部１で作成される折丁束Ｇは、折機１３による処理の関係から特定の頁数（例えば１６の倍数）のものになってしまうので、作成する書籍の本文頁数がこの折丁束Ｇの頁数と合わない場合もある。そこで、折丁束Ｇでは足りない本文頁部分をこの追加頁として用意し、折丁束Ｇに加えて丁合するようになっている。
【００７６】
無線綴じ機２２では、搬送装置２０により搬送される一冊分の用紙束の背面に糊を付けて用紙束を綴じて表紙挿し機２３に送給する。
表紙挿し機２３では、付設された第２フィーダユニット２８の表紙フィーダ２８０にセットされた厚紙の表紙を受け取り、用紙束の背面の糊が乾く前に表紙を搬送装置２０により搬送される一冊分の用紙束の背面側に接着して表紙込みの冊子を完成させ、この冊子を乾燥機２４に送給する。
【００７７】
乾燥機２４では、搬送装置２０により搬送される冊子の背面の糊を乾燥させ三方断裁機２５に送給する。
三方断裁機２５では、搬送装置２０により搬送される冊子の背面以外を三方断裁してカバー帯掛け機２６に送給する。
【００７８】
カバー帯掛け機２６に付設された第３フィーダユニット２９には、用紙の搬送方向に沿って複数のカバー類フィーダ２９０ａ〜２９０ｃが並設されている。各フィーダ２９０ａ〜２９０ｃにはカバーや帯やスリップ（ＩＳＢＮを書いた短冊）といったカバー類がそれぞれセットされている。カバー帯掛け機２６では、各フィーダ２９０ａ〜２９０ｃにセットされたカバーや帯やスリップ（ＩＳＢＮを書いた短冊）を順に受け取り、搬送装置２０により搬送される冊子にカバーや帯を冊子の外側に掛けて、さらにスリップを冊子に挿入する。
また、図示しないが、その後、何冊かの単位で結束して書籍の製造を完了する。
【００７９】
ところで、丁合機２１，無線綴じ機２２，表紙挿し機２３，乾燥機２４，三方断裁機２５，カバー帯掛け機２６の各部は、作成する書籍に対応した状態に装置状態を設定することが必要である。また、丁合機２１，表紙挿し機２３，カバー帯掛け機２６でそれぞれ処理される追加頁（本文（中本），口絵等）や表紙やカバー類（カバーや帯やスリップ）は、製造する書籍に対応したものでなくてはならない。また、書籍によっては、追加頁の折丁数が異なったり、カバー類の一部（例えば帯など）が不要であったりするものもある。
【００８０】
そこで、製本部２では、印刷部１で印刷したマークを読み取る読取装置（主読取装置）５０を製本部２の入口部（印刷部の出口部でもよい）に装備している。読取装置５０は、搬送装置２０により搬送される折丁束Ｇから主マーク５５を読み取って、読み取った信号を制御装置３０の製本制御部３２に送信する。製本制御部３２では、読取装置５０の読取信号から、製造対象の書籍を特定し、この特定した書籍に対応して、丁合機２１，無線綴じ機２２，表紙挿し機２３，乾燥機２４，三方断裁機２５，カバー帯掛け機２６の各部の装置状態を設定する。
【００８１】
また、図４に示すように、第１フィーダユニット２７の各追加頁フィーダ２７０ａ〜２７０ｎ，第２フィーダユニット２８の表紙フィーダ２８０，第３フィーダユニット２９のカバー類フィーダ２９０ａ〜２９０ｃにはそれぞれ、複数（ここではそれぞれ４つ）のフィーダカセット（フィーダ容器）２７１ａ〜２７１ｎ，２８１，２９１ａ〜２９１ｃが用意され、製造する書籍に応じた追加頁，表紙，カバー類といった用紙がセットされたフィーダカセット２７１ａ〜２７１ｎ，２８１，２９１ａ〜２９１ｃを選択して使用するようになっている。
【００８２】
このフィーダカセット２７１ａ〜２７１ｎ，２８１，２９１ａ〜２９１ｃの選択は、製本制御部３２により行われるようになっている。つまり、製本制御部３２は、それぞれ（ここでは、図４の４つずつの場合を例示する）のフィーダカセット２７１ａ〜２７１ｎ，２８１，２９１ａ〜２９１ｃにどのような書籍に対応した用紙がセットされているかを予め把握しており、製造対象の書籍を特定したら、この特定した書籍に対応した用紙がセットされているフィーダカセット２７１ａ〜２７１ｎ，２８１，２９１ａ〜２９１ｃを特定し、各フィーダユニット２７〜２９に選択信号を出力する。これにより、各フィーダユニット２７〜２９では適切に用紙を供給することが可能になる。
【００８３】
図４に示す例では、現在製造中の書籍Ａに関する追加頁Ａ１〜Ａｎが最下段のフィーダカセット２７１ａ〜２７１ｎにそれぞれセットされ、書籍Ａに関する表紙Ａ０が最下段のフィーダカセット２８１にセットされ、書籍Ａに関するカバーＡａ，帯Ａｂ，スリップＡｃが最下段のフィーダカセット２９１ａ〜２９１ｃにそれぞれセットされ使用されている。
【００８４】
次に製造する書籍Ｂに関しては、追加頁や帯はなく、書籍Ｂに関する表紙Ｂ０が下から２番目のフィーダカセット２８１にセットされ、書籍Ｂに関するカバーＢａ，スリップＢｃが下から２番目のフィーダカセット２９１ａ，２９１ｃにそれぞれセットされている。書籍Ｂを製造する際にはこれらが選択されて使用される。
【００８５】
また、さらに次に製造する書籍Ｃに関しては、追加頁Ｃ１〜Ｃｎが下から２番目のフィーダカセット２７１ａ〜２７１ｎにそれぞれセットされ、書籍Ｃに関する表紙Ｃ０が下から３番目のフィーダカセット２８１にセットされ、書籍Ｃに関するカバーＣａ，スリップＣｃが下から３番目のフィーダカセット２９１ａ，２９１ｃにそれぞれセットされ、書籍Ｃに関する帯Ｃｂが下から２番目のフィーダカセット２９１ｂにセットされている。書籍Ｃを製造する際にはこれらが選択されて使用される。
【００８６】
なお、本実施形態では、製本制御部３２がそれぞれのフィーダカセット２７１ａ〜２７１ｎ，２８１，２９１ａ〜２９１ｃにどのような書籍に対応した用紙がセットされているかを予め把握するために、追加頁（本文（中本），口絵等）や表紙やカバー類（カバーや帯やスリップ）といった各用紙にも、図１に示すように、固有のマーク（第１〜第３マーク）５６も印刷する。
【００８７】
この第１〜第３マーク５６にも、例えばバーコード，二次元コード〔例えば、マトリクス型二次元コードであるＱＲコード（登録商標）〕を含む絵柄構造で特定されるマークを採用することができ、こうしたマークの場合、印刷面の余白部又は裏面に印刷することが好ましい。また、このマーク５６には、余白部への印刷位置で特定されるマークを用いても良く、ステルスインクで印刷されるマーク及び見えないドットコードの何れかを印刷面又は非印刷面の任意の個所に印刷してもよく。あるいは、印刷絵柄の一部または全部をマーク５６とすることも可能である。この場合、本文の画像だけを印刷すればよい。
【００８８】
そして、各追加頁フィーダ２７０ａ〜２７０ｎ，表紙フィーダ２８０，カバー類フィーダ２９０ａ〜２９０ｃの側にも、各フィーダカセット２７１ａ〜２７１ｎ，２８１，２９１ａ〜２９１ｃ内の用紙に印刷されたマーク５６を読み取る読取装置（第１〜第３読取装置）５１ａ〜５１ｎ，５２，５３ａ〜５３ｃが装備されている。読取装置５１ａ〜５１ｎ，５２，５３ａ〜５３ｃは、読み取った信号を製本制御部３２に送信する。製本制御部３２では、これらの読取信号から、各フィーダカセット２７１ａ〜２７１ｎ，２８１，２９１ａ〜２９１ｃ内の紙部品が何れの製造対象書籍に対応したものかを特定し、各フィーダカセット２７１ａ〜２７１ｎ，２８１，２９１ａ〜２９１ｃと紐付して記憶する。
【００８９】
なお、もしもカバーやスリップなどに第１〜第３マーク５６を印刷することも、印刷絵柄をマーク５６として使用することも困難である場合は、第１〜第３マーク５６のみを印刷した識別用用紙を追加頁や表紙やカバー類などの紙部品と共に準備し、フィーダカセットへ用紙をセットする際に読取装置が識別用の用紙から第１〜第３マーク５６を読み取るようにしても良い。
【００９０】
〔書籍の製造（製造方法）〕
本実施形態にかかる書籍の製造装置は、上述のように構成されるので例えば図５に示す手順（作成の流れ、本実施形態にかかる書籍の製造方法）により書籍を製造することができる。
【００９１】
図５に示すように、まず、印刷工程で、ウェブＷの印刷面にウェブ式デジタル印刷機１２によって、書籍の本文の画像と共に書籍を特定する書籍固有の主マーク５５を印刷する（ステップＳ１０、印刷本工程）。そして、ウェブＷを折機１３によって重ね折りして横断裁することで折丁を形成し（折丁形成工程）、形成された折丁を積み重ねて折丁束Ｇを形成して搬送装置１５によって搬出する（折丁束搬出工程）（以上、ステップＳ１２）。
【００９２】
次に、印刷工程で形成された折丁束Ｇを受け取って（折丁束受取工程）製本工程に進み、主マーク５１を主読取工程装置５０で読み取る（ステップＳ２０）、この情報から制御装置３０の製本制御部３２が製造中の書籍を特定する（ステップＳ２２）。
【００９３】
製本制御部３２は、丁合機２１のフィーダユニット２７の各フィーダ２７０ａ〜２７０ｎに、特定した書籍に対応した追加頁をセットされたフィーダカセット２７１ａ〜２７１ｎをそれぞれ選択させて（ステップＳ２４）、丁合機２１に中本の一部や口絵といった追加頁を供給する（ステップＳ２６）。丁合機２１では、供給された追加頁を折丁束Ｇに積み重ねていって一冊分の用紙束を作成する（丁合工程、ステップＳ２８）。
【００９４】
次に、丁合工程で丁合され搬送装置２０により搬送される一冊分の用紙束の背面を無線綴じ機２２によって糊付けして綴じる（綴じ工程、ステップＳ３０）。そして、製本制御部３２は、表紙挿し機２３のフィーダユニット２８のフィーダ２８０に、特定した書籍に対応した追加頁をセットされたフィーダカセット２８１をそれぞれ選択させて（ステップＳ３２）、表紙挿し機２３に表紙を供給する（ステップＳ３４）。表紙挿し機２３では、搬送装置２０により搬送される一冊分の用紙束の背面の糊が乾く前に表紙を背面側に接着して表紙込みの冊子を完成させる（表紙挿し工程、ステップＳ３６）。
【００９５】
次に、表紙挿し工程で完成され搬送装置２０により搬送される冊子の糊を乾燥機２４により乾燥させる（乾燥工程、ステップＳ３８）。次いで、乾燥工程で乾燥された冊子の背面以外を三方断裁機２５により三方断裁する（三方断裁工程、ステップＳ４０）。
【００９６】
次に、製本制御部３２は、カバー帯掛け機２６のフィーダユニット２９のフィーダ２９０ａ〜２９０ｃに、特定した書籍に対応したカバー類（カバー，帯，スリップ）をセットされたフィーダカセット２９１ａ〜２９１ｃをそれぞれ選択させて（ステップＳ４２）、カバー帯掛け機２６にカバー類（カバー，帯，スリップ）を供給する（ステップＳ４４）。カバー帯掛け機２６では、各フィーダ２９０ａ〜２９０ｃにセットされたカバーや帯やスリップ（ＩＳＢＮを書いた短冊）を順に受け取り、搬送装置２０により搬送される冊子にカバーや帯を冊子の外側に掛けて、さらにスリップを冊子に挿入する（カバー掛け工程、ステップＳ４６）。
その後、何冊かの単位で結束して書籍の製造を完了する（結束工程、ステップＳ４８）。
【００９７】
このようにして、本実施形態にかかる書籍の製造装置又は製造方法によれば、印刷部１（印刷工程）では、ウェブ式デジタル印刷機１２で書籍の本文を印刷するので、デジタル印刷機１２の特性から、オーダチェンジに速やかに対応でき、少部数の生産でも単価を抑えて対応できる。また、オーダチェンジに際して印刷機を停止する必要が無いので、ウェブ式印刷機で発生する刷り出し損紙や刷り終わり損紙も最小限に抑えることができる。さらに、ウェブ式なので高速印刷で且つ多頁を並列に同時的に印刷できるので、印刷にかかる生産効率を高め易くなる。
【００９８】
また、印刷後、折機１３によって折丁を形成し、搬送装置１５によって折丁を積み重ねて折丁束Ｇを形成して、これを排出するので、書籍の本文の多くを折丁束Ｇとして部分的に丁合した形で製本部（製本工程）へ供給し、製本部（製本工程）では、この折丁束Ｇに追加頁を積み重ねていって丁合を完了するので、予め折丁束が形成される分だけ製本部（製本工程）での丁合にかかる処理負担が軽減される。
【００９９】
したがって、頁数が多い書籍を製造する場合にも、印刷部１（印刷工程）で形成する折丁束Ｇの頁数を増やして対応することもでき、丁合機２１にフィーダを多数装備する必要はなく、設備の大型化を防止することができる。また、丁合機２１のフィーダに折丁やシートをセットする負担が減る分だけ作業者の負担を抑えることができる。
【０１００】
また、印刷部１（印刷工程）で、ウェブＷの印刷面に書籍の本文の画像と共にこの書籍を特定する主マーク５５を印刷し、製本部２（製本工程）では、丁合機２１に送られる折丁束Ｇから主マーク５５を読み取って、この情報から作成中の書籍を特定し、特定した書籍に対応した追加頁がセットされたフィーダカセット２７１からの追加頁を、追加頁フィーダ２７０により丁合機２１に供給するので、作業者に負担を加えずに、乱丁，落丁の発生を防止することができる。
【０１０１】
同様に、表紙挿し機２３やカバー掛け機２６においても、特定した書籍に対応した表紙やカバー類がセットされたフィーダカセット２８１，２９１からの表紙やカバー類を、表紙フィーダ２８０やカバー類フィーダ２９０により表紙挿し機２３やカバー掛け機２６に供給するので、作業者に負担を加えずに、誤装着の発生を防止することができる。
【０１０２】
また、読取装置（第１〜第３読取装置）５１ａ〜５１ｎ，５２，５３ａ〜５３ｃによって、各追加頁フィーダ２７０ａ〜２７０ｎ，表紙フィーダ２８０，カバー類フィーダ２９０ａ〜２９０ｃの側にも、各フィーダカセット２７１ａ〜２７１ｎ，２８１，２９１ａ〜２９１ｃ内の用紙に印刷されたマーク５６を読み取った情報に基づいて、製本制御部３２が、各フィーダカセット２７１ａ〜２７１ｎ，２８１，２９１ａ〜２９１ｃ内の用紙が何れのオーダ書籍に対応したものかを特定するので、この点からも作業者に負担を加えずに、誤装着の発生を防止することができる。
【０１０３】
〔その他〕
以上、本発明の実施形態を説明したが、本発明は上述の実施の形態に限定されるものではなく、本発明の趣旨を逸脱しない範囲で種々変形して実施することができる。
【０１０４】
例えば、フィーダカセットのそれぞれのストック状況を監視する監視装置を設け、制御装置は、この監視装置の監視情報から、特定した書籍に対応した追加頁，表紙又はカバー類のストックが欠如する場合には、書籍の製造のかかるジョブを、ストックが揃っている別のジョブに強制的に切り替えるようにしてもよい。これにより、損紙の減少や生産効率の低下を回避できる。この場合、別のジョブは印刷スケジュール上の順位で決定しても良いし、紙種やサイズなどが同じジョブを優先しても良い。あるいは、ジョブを強制的に切り替える代わりに印刷機を停止させても良い。
【０１０５】
また、装置としては、印刷部は、ウェブ式デジタル印刷機と折機と折丁束を形成する搬送装置とを有し、製本部は、搬送装置と綴じ機と三方断裁機と主読取装置と書籍を特定して紙部品追加製本加工部に供給する紙部品を選択する制御装置とを有することが必須であるが、その他の構成は適宜省略しうる。
【０１０６】
この場合、紙部品追加製本加工部は、紙部品を用いて加工する何らかの追加製本加工部を少なくとも１つ有していれば本発明の効果を得ることができる。上記実施形態では、紙部品追加製本加工部として、丁合機２１，表紙挿し機２３，カバー帯掛け機２６を装備しているが、これらの何れか或いは他の紙部品追加製本加工部を装備しても良い。
【０１０７】
例えば表紙を装着しない状態で綴じた半完成品の書籍を製造するために本発明を用いることもでき、この場合、紙部品追加製本加工部のうち、少なくとも表紙挿し機２３は不要となり、表紙の装着は後工程として別のラインで行なうようにすればよい。
また、追加頁が不要であれば丁合機２１は本発明に不要となり、カバーや帯等が不要であればカバー帯掛け機２６は本発明に不要となる。
【０１０８】
折機でのウェブの折り方についても、スリッタで４つに分けたものを重ねてから１つの三角板で折るだけでなく、複数の三角板で複数回数の折りを行うなど、多様な折り手段が利用可能である。
【０１０９】
方法としては、印刷工程は、印刷本工程と折丁形成工程と折丁束搬出工程とを有し、製本工程は、折丁束受取工程と綴じ工程と三方断裁工程と書籍を特定して紙部品を選択しこれを紙部品追加製本加工部に供給する工程を有することが必要であるが、その他の構成は適宜省略しうる。
【０１１０】
また、上記実施形態では、綴じ機として無線綴じ機を例示したが、本発明はこれに限らず他の綴じ機にも適用できる。例えば「アジロ綴じ」などは、丁合いから断裁まで、或いは、丁合いから断裁更にカバー装着までを、インライン化できるため、本発明を適用するのに好ましい。
【符号の説明】
【０１１１】
１  印刷部
１１  給紙装置
１２  印刷機
１３  折機
１４  振分装置
１５  搬送装置
２  製本部
２０  搬送装置
２１  丁合機（紙部品追加製本加工部）
２２  無線綴じ機（製本加工部）
２３  表紙挿し機（紙部品追加製本加工部）
２４  乾燥機（製本加工部）
２５  三方断裁機（製本加工部）
２６  カバー帯掛け機（紙部品追加製本加工部）
２７〜２９  フィーダユニット
２７０〜２９０  フィーダ
２７１〜２９１  フィーダカセット
【図１】
2016087938.tif 000003
【図２】
2016087938.tif 000004
【図３】
2016087938.tif 000005
【図４】
2016087938.tif 000006
【図５】
2016087938.tif 000007
【図６】
2016087938.tif 000008